(57)【要約】この発明は、少なくとも１つの拡がった端部（２）を有する押し出しチューブ及び前記拡がった端部（２）に配置されるブッシュ（３）を有してなるフィルター・ハウジング（１）に関する。この発明は、上述のフィルター・ハウジング（１）を製造する方法にも関するものであって、押し出しチューブを供給する工程、押し出しチューブの端部を加熱する工程、チューブの端部（２）を拡げる工程並びに拡げた端部（２）にブッシュ（３）を配置する工程を有してなる。
2004515342.tif 000002
【特許請求の範囲】
【請求項１】
−少なくとも１つの拡がった端部を有する押し出しチューブ、及び
−前記拡がった端部内に配置されるブッシュ
を有してなるフィルター・ハウジング。
【請求項２】
ブッシュの内側壁部と、押し出しチューブの拡がっていない内側壁部とは、実質的に同じライン上にある請求項１記載のフィルター・ハウジング。
【請求項３】
ブッシュは周囲溝を有している請求項１又は２記載のフィルター・ハウジング。
【請求項４】
少なくともチューブは、ポリ塩化ビニル、ポリエチレン、ポリプロピレン又は他の熱可塑性プラスチックを用いて形成される請求項１〜３のいずれかに記載のフィルター・ハウジング。
【請求項５】
−押し出しチューブを供給する工程；
−押し出しチューブの端部を加熱する工程；
−チューブの端部を拡げる工程；並びに
−拡げた端部にブッシュを配置する工程
を有してなる請求項１〜４のいずれかに記載のフィルター・ハウジングを製造する方法。
【請求項６】
接着によってブッシュを配置する請求項５記載の方法。
【請求項７】
押し出しチューブの端部を加熱した後に、加熱した壁部に開口部を形成する請求項５又は６記載の方法。
【発明の詳細な説明】
【０００１】
この発明は、例えばモジュール式のフィルター・エレメント、例えば交換可能な逆浸透フィルター・エレメント用のフィルター・ハウジングに関する。
【０００２】
逆浸透フィルター・エレメント用の既知のフィルター・ハウジングは、合成樹脂を含浸させた繊維によって形成されている。そのようなハウジングを製造するには、マンドレルのまわりに繊維を巻き付け、次いで合成樹脂を含浸させる。そのようなハウジングの問題点は、巻き付けマンドレル最大長さによって長さが制限され、製造プロセスの結果としてそのような繊維チューブのコストが特に高いことである。
【０００３】
ハウジングの端部において、ハウジングの壁部に周囲溝が配されているＰＶＣフィルター・ハウジングは、近年、市場に出回っている。これは、機械加工処理によって行われている。これによって合成壁部（ｓｙｎｔｈｅｔｉｃ ｗａｌｌ）の完全性は影響を受け、従って、外側に補強ブッシュを設ける必要がある。この補強ブッシュによる十分な力の伝達を確保するため、このブッシュは溝の両側においてかなりの長さで延びる必要がある。この長さは、他のファクターの中でも、ハウジングの外側壁部へのブッシュの接着力によって決められる。そのようなハウジングは、補強ブッシュのために追加の材料が必要とされること、機械加工操作をハウジングの中で行う必要があること、及び補強ブッシュの長さのためにハウジングは長くなり、それによって追加的な組み込み長さが必要とされること等の問題点を有している。
【０００４】
本発明の目的は、上記の問題点を排除することである。
この目的は、−少なくとも１つの拡がった端部を有する押し出しチューブ、及び−前記拡がった端部内に配置されるブッシュを有してなる本発明のフィルター・ハウジングによって達成される。
【０００５】
本発明のフィルター・ハウジングの利点は、押し出しチューブの壁部が機械加工処理によって損傷を受けず、それによってハウジング壁部は完全な長さを保持するということである。拡がった端部内に配置されるブッシュによって溝を形成することが可能となり、溝にはハウジング内にフィルター・エレメントを封入（ｅｎｃｌｏｓｅ）するために、ロッキング・リングを配置することができる。
【０００６】
ブッシュのもう一つの利点は、ブッシュを、フィルター・ハウジングの材料以外の材料、例えばＰＥＴ（ポリエチレンテレフタレート）などの材料で形成することができるということである。材料は、溝を設ける部分により好適であるように選択することができる。
【０００７】
押し出しチューブは、種々の圧力等級（ｐｒｅｓｓｕｒｅ ｃｌａｓｓ）のものを比較的低コストにて容易に入手することができ、その一方で、それらは圧力に耐える十分な強度を有している。更に、押し出しチューブの長さは、製造プロセスに関しては限度がない。
【０００８】
本発明の好ましい態様では、ブッシュの内側壁部は押し出しチューブの拡がっていない内側壁部のラインに実質的に位置している。従って、フィルター・エレメントをハウジングの内側に通過障害を伴なうことなく配置することができる。
【０００９】
本発明の態様では、ブッシュは周囲溝を有している。この溝は例えば機械加工によって設けることができ、拡がった端部がブッシュのまわりに配置されるので、ハウジングの壁部の強度は保持される。
もう１つの態様において、周囲溝はブッシュと壁部との間に形成される。
【００１０】
本発明のフィルター・ハウジングのチューブは、ポリ塩化ビニル、ポリエチレン若しくはポリプロピレン又はその他の熱可塑性プラスチックを用いて形成することができる。
ブッシュは、例えば、熱可塑性プラスチック又は金属、例えばアルミニウムを用いて形成することができる。
【００１１】
本願の発明には、更に、上述のような本願のフィルター・ハウジングを製造する方法であって、
−押し出しチューブを供給する工程；
−押し出しチューブの端部を加熱する工程；
−チューブの端部を拡げる工程；並びに
−拡げた端部にブッシュを配置する工程
を含んでなる方法も含まれる。
押し出しチューブの端部を加熱し、その端部を拡がらせることは、フレアリング（ｆｌａｒｉｎｇ）とも称される。チューブの拡がらせた端部は、フレア（ｆｌａｒｅ）と称する。
本発明の方法の好ましい態様では、接着（ｇｌｕｅｉｎｇ）によってブッシュの配置が行われる。
【００１２】
フィルター・ハウジングを加圧下に置く場合、それによってフィルター・ハウジングの外側端部に軸方向の力が働き、拡がった端部は直径を縮めようとする。このことは、径方向の力がはたらくと拡がることができ、軸方向の力を適用することによって直径が収縮する傾向がある繊維製品（ｆａｂｒｉｃ）の筒（ｃｙｌｉｎｄｅｒ）に対応する。これによって接続パーツはフレアにしっかりと留められる。更に、壁部は二軸延伸によって補強されると考えられる。
【００１３】
本発明のこれら及びその他の特徴について、添付図面を参照しながら説明する。
【００１４】
図１は、フィルター・ハウジング１を示しており、フィルター・ハウジング１は両方の端部に拡がった端部２を有している。ブッシュ３は拡がった端部２の中に接着されている。
【００１５】
図２は、図１に示すフィルター・ハウジング１の１つの端部２の断面を示している。チューブの壁部は、外側端部２の位置で拡がっている。ブッシュ３はその部分に配置される。このブッシュには溝が設けられており、そこにロッキング・リング４が取り付けられる。このロッキング・リング４は、フィルター・エレメント８のための接続部６及び７が設けられる接続パーツ５をロックする。接続パーツ５は、フィルター・ハウジング１の内側壁部にＯ−リング９によってシールされる。
【００１６】
図３は、本発明のフィルター・ハウジング１０の第２の態様を示している。この態様でも、フィルター・エレメント８は接続ピース５に接続されている。拡がった端部１１にはブッシュ１２が取り付けられ、その長さは拡がった部分１１の長さよりも短くなっている。これによって、ロッキング・リング１３を取り付けることができる空間が形成される。このことの利点は、ブッシュに溝を配置するために、機械加工操作を必要としないということである。ロッキング・リング１３は更に、ブッシュ１２の最大の表面積を支えている。
【００１７】
図４は、本発明のフィルター・ハウジング２０の第３の態様を示している。この態様でも、フィルター・エレメント８及び接続ピース（パーツ）５が取り付けられている。拡がった端部２１に配置されるブッシュ２２はおおよその中央部に溝２３を有しており、溝２３にはロッキング・リング２４が取り付けられている。フィルター・ハウジング２０が加圧されると、ブッシュ２２には軸方向の力が働く。ブッシュ２２は拡がった端部２１に接着されており、拡がった端部２１とブッシュ２２との間の接触表面には、剪断力が作用することになる。圧力の程度に関する接着強度（ｇｌｕｅ ｓｔｒｅｎｇｔｈ）、安全係数（ｓａｆｅｔｙ ｆａｃｔｏｒｓ）及び変動率（ｒｅｇｕｌａｔｉｏｎ）の影響を受けるこの接触表面の寸法を測定することは可能である。ブッシュ２１のおおよその中央部に溝を設けることは有利である。
【００１８】
図５は、フィルター・ハウジング３０の第４の態様を示している。この態様では、拡がった端部３１に短いブッシュ３２が配置されており、周囲溝３３はこのブッシュの中に設けられている。拡がった端部３３はブッシュ３２を越えた所で一旦縮径して、ブッシュを包囲している。フィルター・ハウジングの壁部には開口部３４が更に設けられており、開口部には接続部を配することができる。フィルター・ハウジング３０の端部を加熱すると、この開口部３４は簡単な方法で壁部に押し付けることができる。フィルター・ハウジング３０の最も外側の端部には、更に強度をもたらすテンショニング・リング３５が更に設けられている。
【００１９】
図１では、フィルター・ハウジングは拡がった端部をその両端に有しているが、フィルター・ハウジングの一端側に拡がった端部を設けることもできる。そうすることによって複数のそのようなフィルター・ハウジングを相互に接続することができる。その場合に、ブッシュは次のフィルター・ハウジングの拡がっていない外側端部によって構成される。所望するいずれの長さのフィルター・ハウジングをも製造することができるモジュール式のシステムがこのようにして得られる。
【００２０】
更に、溝を螺旋状の溝として設けることもでき、これによってロッキング・リングは必要ではなくなる。それから、接続ピースをブッシュの中にねじ込むことができる。
【００２１】
最終的に、ブッシュはセグメント化したブッシュとして設けることもできるし、又は複層ブッシュとして設けることもできる。セグメント化したブッシュは、本発明によるフィルター・ハウジングを採用するフィルター・デバイスを組み立てたり、分解したりする際に有利である。
【００２２】
複層ブッシュによれば、ブッシュの表面を例えばその機能に適応させることもできる。ブッシュの外側表面をチューブに容易に接着できる材料を用いて形成し、一方、内側表面は容易に機械加工することができる材料によって形成することもできる。
【図面の簡単な説明】
【図１】図１は、本発明のフィルター・ハウジングの斜視図である。
【図２】図２は、図１におけるＩＩ−ＩＩ線に沿った断面図である。
【図３】図３は、本発明のもう１つの態様における断面図である。
【図４】図４は、本発明の更にもう１つの態様における断面図である。
【図５】図５は、本発明の更にもう１つの態様における断面図である。
【国際公開パンフレット】
2004515342.tif 000003
2004515342.tif 000004
2004515342.tif 000005
2004515342.tif 000006
2004515342.tif 000007
2004515342.tif 000008
2004515342.tif 000009
2004515342.tif 000010
2004515342.tif 000011
【手続補正書】
【提出日】平成15年2月27日(2003.2.27)
【手続補正１】
【補正対象書類名】明細書
【補正対象項目名】特許請求の範囲
【補正方法】変更
【補正の内容】
【特許請求の範囲】
【請求項１】
−少なくとも１つの拡がった端部を有する押し出しチューブ、
−前記拡がった端部内に配置されるブッシュ；
−フィルター・ハウジング内に配置される少なくとも１つのフィルター・エレメント；及び
−ハウジング内にフィルター・エレメントをロックするためにブッシュに配置されるロッキング手段
を有してなるフィルター・ハウジングの組合せ。
【請求項２】
ブッシュの内側壁部と、押し出しチューブの拡がっていない内側壁部とは、実質的に同じライン上にある請求項１記載の組合せ。
【請求項３】
ブッシュは周囲溝を有している請求項１又は２記載の組合せ。
【請求項４】
少なくともチューブは、ポリ塩化ビニル、ポリエチレン、ポリプロピレン又は他の熱可塑性プラスチックを用いて形成される請求項１〜３のいずれかに記載の組合せ。
【請求項５】
−押し出しチューブを供給する工程；
−押し出しチューブの端部を加熱する工程；
−チューブの端部を拡げる工程；並びに
−拡げた端部にブッシュを配置する工程
を有してなる請求項１〜４のいずれかに記載のフィルター・ハウジングを製造する方法。
【請求項６】
接着によってブッシュを配置する請求項５記載の方法。
【請求項７】
押し出しチューブの端部を加熱した後に、加熱した壁部に開口部を形成する請求項５又は６記載の方法。
【国際調査報告】
2004515342.tif 000012
2004515342.tif 000013
2004515342.tif 000014
2004515342.tif 000015